(57)【要約】      （修正有）【課題】重くなるのを抑えながら、シンクに設置した状態でまな板等の物を置く面積を広くすることができるシンク用かご及びこれを備えたシンクを提供する。【解決手段】シンク用かご２は、枠体３と、収容部４と、載置台５とを備えている。枠体３は、線材で枠状に形成され、シンク１１の槽部１３の開口部１４の複数の辺のうちの少なくとも２辺に載ることが可能に構成される。収容部４は、枠体３の内側に設けられ、枠体３よりも下方に凹むように線材で形成される。載置台５は、枠体３の内側に設けられ、物を載せることが可能に構成されている。載置台５は、枠体３から上方に立ち上がるように線材で形成された脚部５２を有する。【選択図】図１
2019063259.tif 000002
【特許請求の範囲】
【請求項１】
線材で枠状に形成され、シンクの槽部の開口部の複数の辺のうちの少なくとも２辺に載ることが可能に構成された枠体と、
前記枠体の内側に設けられ、前記枠体よりも下方に凹むように線材で形成された収容部と、
前記枠体の内側に設けられ、物を載せることが可能な載置台と
を備え、
前記載置台は、前記枠体から上方に立ち上がるように線材で形成された脚部を有する
シンク用かご。
【請求項２】
前記収容部は、前記枠体よりも下方に凹むように形成された少なくとも２つの外枠部を有し、
前記少なくとも２つの外枠部は互いに離れており、
前記収容部は、前記シンク用かごが上下反転した状態で、前記少なくとも２つの外枠部のうちの対向する一対の外枠部の間で、板状体を立てた状態で支持可能に構成されている
請求項１記載のシンク用かご。
【請求項３】
前記収容部は前記収容部の上方の開口を形成する開口枠を有し、
前記開口枠の上端は、前記載置台の上端と同じ高さ位置に形成されている
請求項１又は請求項２記載のシンク用かご。
【請求項４】
前記収容部は、前記枠体の上方に位置し前記収容部の上方の開口を形成する開口枠を有し、
前記開口枠は、互いに対向する一対の対向部を含み、
前記一対の対向部と前記枠体との間には、隙間が形成されている
請求項１記載のシンク用かご。
【請求項５】
請求項１〜４のいずれか１項に記載のシンク用かごを備えたシンクであって、
前記シンクの槽部の開口部から前記収容部の底部までの寸法は、前記シンクの槽部の開口部から底面までの寸法の１／２以上に形成されているシンク。
【発明の詳細な説明】
【技術分野】
【０００１】
本発明は、シンク用かご及びこれを備えたシンクに関する。
【背景技術】
【０００２】
特許文献１には、従来のシンク用かごが開示されている。この特許文献１記載の洗剤収納かごは、水切プレートに形成された開口に嵌め込まれる。洗剤収納かごが嵌め込まれた水切プレートは、シンクの開口部の横面に載せられる。シンクの開口部の横面に載せられた水切プレートは、上面がカウンターの上面と略同じ高さに位置している。
【先行技術文献】
【特許文献】
【０００３】
【特許文献１】実開平４−９５７４５号公報
【発明の概要】
【発明が解決しようとする課題】
【０００４】
ところで、従来の水切プレートは、その厚み寸法が、開口部の横面とカウンターの上面との間の寸法と同じ寸法に形成される必要がある。このため、従来の水切りプレートは製造が難しく、また重くなりやすいという問題がある。
【０００５】
本発明は、上記事情に鑑みてなされたものであり、その目的とするところは、重くなるのを抑えながら、シンクに設置した状態でまな板等の物を置く面積を広くすることができるシンク用かご及びこれを備えたシンクを提供することにある。
【課題を解決するための手段】
【０００６】
本発明に係る一態様のシンク用かごは、線材で枠状に形成され、シンクの槽部の開口部の複数の辺のうちの少なくとも２辺に載ることが可能に構成された枠体と、前記枠体の内側に設けられ、前記枠体よりも下方に凹むように線材で形成された収容部と、前記枠体の内側に設けられ、物を載せることが可能な載置台とを備え、前記載置台は、前記枠体から上方に立ち上がるように線材で形成された脚部を有する。
【０００７】
本発明に係る一態様のシンクは、上記シンク用かごを備えたシンクであって、前記シンクの槽部の開口部から前記収容部の底部までの寸法は、前記シンクの槽部の開口部から底面までの寸法の１／２以上に形成されている。
【発明の効果】
【０００８】
本発明のシンク用かごによれば、重くなるのを抑えながら、シンクに設置した状態において、まな板等の物を置く面積を広くすることができる。
【０００９】
本発明のシンク用かごを備えたシンクによれば、シンク用かごが重くなるのを抑えながら、まな板等の物を置く面積を広くすることができる。
【図面の簡単な説明】
【００１０】
【図１】図１は、本発明の一実施形態のシンク用かごを備えたシンクの斜視図である。
【図２】図２は、同上のシンク用かごの斜視図である。
【図３】図３は、同上のシンク用かごの収容部にごみ受けネットを取り付けた状態の斜視図である。
【図４】図４は、同上のシンク用かごとカウンターとの位置関係を説明する断面図である。
【図５】図５は、同上のシンク用かごを備えたシンクの断面図である。
【図６】図６は、同上のシンク用かごを上下反転させた状態でまな板等を支持させたシンクの斜視図である。
【図７】図７は、同上のシンク用かごを上下反転させた状態でまな板等を支持させたシンク用かごの断面図である。
【発明を実施するための形態】
【００１１】
以下、本発明の一実施形態について添付図面に基づいて説明する。
【００１２】
本実施形態のシンク用かご２は、図１に示すように、調理台１のカウンター１０に形成されたシンク１１に取り付けられる。本実施形態のシンク１１は、カウンター１０の上面から凹んだ部分であり、平面視略正方形状に形成されている。シンク１１は、デッキ部１２と、槽部１３とを備えている。
【００１３】
デッキ部１２は、食材等の物を置くことができる部分であり、デッキ部１２の上面は、カウンター１０の上面よりも下方に位置する。デッキ部１２には、例えば、濡れた食材等が置かれる。デッキ部１２は、カウンター１０側の縁部が立ち上がっており、デッキ部１２の上面に水をかけても、カウンター１０の上面に水が流れ出しにくくなっている。
【００１４】
槽部１３は、シンク１１の主体を構成する部分であり、シンク１１においてデッキ部１２以外の箇所に形成される。槽部１３の底面は、デッキ部１２の上面よりも下方に位置している。槽部１３の開口部１４は、複数の辺を有している。複数の辺の各々は直線状に形成されている。複数の辺は、互いに隅丸状の角部で連続している。複数の辺は断面Ｌ字状の段１５を有する。段１５は、開口部１４の全周にわたって形成されている。段１５は、カウンター１０の上面に平行な横面１５１を有する。横面１５１は、カウンター１０の上面よりも所定寸法（本実施形態では、約３０ｍｍ）下方に位置している。
【００１５】
槽部１３は、横長に形成された第１の受水部１６と、第１の受水部１６の長手方向のうちデッキ部１２以外の箇所から後方に広がった第２の受水部１７とを備えている。第１の受水部１６と第２の受水部１７とは区画されていない。第１の受水部１６の前後方向の幅は、第２の受水部１７の左右方向の幅と同じ寸法に形成されている。
【００１６】
このような構成の槽部１３の開口部１４には、シンク用かご２が取り付けられる。シンク用かご２は、例えば、第１の受水部１６に対応する幅方向（前後方向）の一対の辺に架け渡したり、第２の受水部１７に対応する幅方向（左右方向）の一対の辺に架け渡したりして取り付けられる。
【００１７】
シンク用かご２は、線材によって構成されている。シンク用かご２は、図２に示すように、枠体３と、収容部４と、載置台５とを備えている。以下、シンク用かご２の上下方向は、図１のようにシンク１１に取り付けられた姿勢を基準として上下方向を決定する。
【００１８】
枠体３は、図２に示すように、線材で枠状に形成されている。枠体３は、一対の長辺部３１と、一対の短辺部３２と、４つの隅丸部３３とを有している。各長辺部３１は、直線状に形成されている。一対の長辺部３１は、互いに離れており、かつ平行である。各短辺部３２は、直線状に形成されており、各長辺部３１に対する角度が９０°である。一対の短辺部３２は、互いに離れており、かつ平行である。各隅丸部３３は、１／４円弧状に形成されており、長辺部３１の長手方向の一方の端部と、短辺部３２の長手方向の端部のうちの当該長辺部３１に隣接する側の端部とをつなぐ。枠体３は、一対の長辺部３１，一対の短辺部３２，及び４つの隅丸部３３が、１つの線材で形成されて連続している。なお、枠体３の線材の径は、他を構成する線材の径よりも大きい。
【００１９】
枠体３は、槽部１３の開口部１４の複数の辺のうちの少なくとも２辺に載るように構成される。枠体３は、１つの長辺部３１と１つの短辺部３２とが、槽部１３の開口部１４の２辺に載ってもよいし、２つの短辺部３２が槽部１３の開口部１４の対向する２辺に載ってもよい。
【００２０】
収容部４は、シンク１１周りの小物（例えば、洗剤又はスポンジ等）を収納したり、ごみ受けネット７（図３参照）を被せてごみ受けとして使用したりする収容スペースを有する部分である。収容部４は、枠体３の内側において、枠体３の長手方向の一端部側に設けられている。収容部４は、一対の支持部３４を介して、枠体３に固定されている。収容部４は、複数の外枠部４１と、複数の保持部４２と、開口枠４３とを備えている。
【００２１】
一対の支持部３４は、枠体３の一対の長辺部３１に架け渡されており、収容部４を支持する。各支持部３４は、直線状であり、短辺部３２に平行である。一対の支持部３４は、長辺部３１の長手方向に離れて配置されている。一対の支持部３４は、長辺部３１の上端に固定されている。
【００２２】
収容部４を構成する各外枠部４１は、枠体３よりも下方に凹むように形成されている。つまり、収容部４の底部は枠体３よりも下方に位置する。各外枠部４１は、上下方向に平行に延びる一対の縦材４１１と、一対の縦材４１１の下端部同士をつなぐ横材４１２とを備えている。横材４１２の長手方向は、長辺部３１の長手方向に平行である。
【００２３】
複数の外枠部４１は、互いに離れている。本実施形態では、複数の外枠部４１として、４つの外枠部４１を備えており、短辺部３２の長手方向に沿って一定の間隔をおいて配置されている。この複数の外枠部４１のうち、最も外側の外枠部４１（つまり、各長辺部３１に隣接する外枠部４１）は、支持部３４及び保持部４２によって枠体３に固定されている。
【００２４】
複数の保持部４２は、最も外側の外枠部４１の下端を枠体３に固定する。保持部４２は、長辺部３１と横材４１２とをつなぎ、これによって、枠体３に対して最も外側の外枠部４１を固定する。保持部４２は、１つの外枠部４１に対して、一対設けられる。この一対の保持部４２は、長辺部３１の長手方向に離れている。なお、保持部４２は、最も外側の外枠部４１のみを固定し、それ以外の外枠部４１にはつながっていない。したがって、４つの外枠部４１の横材４１２同士は、互いにつながっていない。
【００２５】
開口枠４３は、外枠部４１の上端部に設けられており、収容部４の上方の開口を形成する。開口枠４３は、平面視略矩形状に形成されている。開口枠４３は、枠体３の短辺部３２の長手方向に対向する一対の対向部４４と、一対の対向部４４の端部同士をつなぐ一対の接続部４５とを備えている。開口枠４３は、１つの線材で形成されており、一対の対向部４４と一対の接続部４５とは連続している。
【００２６】
一対の対向部４４は、互いに対向している。一対の対向部４４は、枠体３の上方に隙間を介して配置されている。各対向部４４は、直線状に形成されている。各対向部４４の長手方向は、枠体３の長辺部３１の長手方向に平行であり、平面視において、長辺部３１に重なっている。
【００２７】
一対の接続部４５は、一対の対向部４４の端部同士をつなぐ。接続部４５は、枠体３の短辺部３２の長手方向に平行な直線部４５１と、直線部４５１の長手方向の両端部に形成された一対の湾曲部４５２とで構成されている。各湾曲部４５２は１／４円弧状に形成されている。この接続部４５は、各外枠部４１の上端部に対し直線部４５１で固定されている。
【００２８】
開口枠４３は、各接続部４５でのみ各外枠部４１に固定され、各対向部４４では各外枠部４１につながっていない。このため、図３に示すように、開口枠４３にごみ受けネット７を取り付けるときに、開口枠４３の内側にごみ受けネット７を通した状態で、ごみ受けネット７の開口を、開口枠４３の上方から開口枠４３の外側を通して引っかける。すると、ごみ受けネット７の開口は、各対向部４４の下方に引っ掛かる。従って、本実施形態の収容部４は、ごみ受けネット７を引っ掛けやすい構造となっている。なお、ごみ受けネット７は、開口が収縮可能な構造であることが好ましい。
【００２９】
載置台５は、図２に示すように、枠体３の内側で、かつ収容部４に隣接している。載置台５は、例えば、食品やまな板６などの物を載せることができる部分である。載置台５は、線材で矩形状の網目が形成された台面部５１と、台面部５１を支持する複数の脚部５２とを有している。載置台５は、台面部５１及び脚部５２が線材で構成されており、すなわち全体が線材で構成されている。
【００３０】
台面部５１は、物が載せられる部分である。台面部５１は、枠体３の長辺部３１に平行な複数の第１の桟５１１と、短辺部３２に平行な複数の第２の桟５１２とを有する。台面部５１は、第１の桟５１１と第２の桟５１２とが直交しており、平板状に形成されている。第１の桟５１１は、第２の桟５１２の下端で固定されている。
【００３１】
複数の脚部５２は、台面部５１を支持する。脚部５２は、枠体３から上方に立ち上がるように線材で形成されている。脚部５２は、枠体３の上端に固定された横片５２１と、横片５２１の先端から上方に突出した縦片５２２とを備えている。縦片５２２は、台面部５１につながっている。
【００３２】
このような構成の載置台５は、図４に示すように、枠体３が槽部１３の段１５の横面１５１に置かれると、台面部５１の上端（第１の桟５１１の上端）がカウンター１０の上面と同一平面上に位置する。このため、例えば、カウンター１０にまな板６を置いて調理する際、カウンター１０と台面部５１とに跨ってまな板６を置くことができる。従って、本実施形態のシンク用かご２によれば、カウンター１０としてまな板６等の物を置くことができる面積を広くすることができる。
【００３３】
また、載置台５の台面部５１の上端は、図５に示すように、収容部４の開口枠４３の上端と同じ高さ位置に形成されている。すなわち、収容部４の開口枠４３の上端は、カウンター１０の上面と同一平面上に位置する。このため、使用者は、まな板６をカウンター１０と台面部５１だけでなく、開口枠４３にも置くことができ、物を置くことができる面積をより広くすることができる。
【００３４】
なお、ここで言う「カウンター１０の上面と同一平面上に位置する」とは、厳密な意味での同一平面上を意味するのではなく、カウンター１０の上面との間でまな板６を置いて使用できる効果が得られれば、この範疇とする。
【００３５】
また、枠体３の下端から収容部４の底部の下端までの寸法Ｌ１は、約１００ｍｍに形成されているのに対し、本実施形態のシンク１１の開口部１４の段１５の横面１５１からシンク１１の底面までの寸法Ｌ２は、約１５５ｍｍに形成されている。つまり、収容部４は、枠体３の下端から収容部４の底部の下端までの寸法Ｌ１が、シンク１１の槽部１３の開口部１４からシンク１１の底面までの寸法Ｌ２の１／２以上に形成されている。
【００３６】
このため、本実施形態の収容部４は、収容部４に小物を収容した場合に、小物の上端が開口枠４３から突出する寸法を抑えることができる。しかも、収容部４の下端とシンク１１の底面との間の寸法が５０ｍｍ以上に形成されているため、使用者は、シンク用かご２を槽部１３の開口部１４から取り外さなくても、シンク１１の底面の手入れを行うことができる。
【００３７】
ここで、本実施形態のシンク用かご２は、以上の説明における姿勢（開口枠４３が上方に向く姿勢）での使用に加えて、上下反転した姿勢でも使用することができる。上記姿勢（図１の姿勢）を第１の姿勢とし、第１の姿勢から上下反転した姿勢（図６の姿勢）を第２の姿勢とする。
【００３８】
第２の姿勢は、図６に示すように、収容部４の底部が上方に凸となる姿勢である。収容部４の複数の外枠部４１は、枠体３の短辺部３２の長手方向に離れている。このため、第２の姿勢にあるシンク用かご２において、収容部４には、まな板６などの板状体を対向する外枠部４１の間に差し込んで、立てた状態で支持させることができる。
【００３９】
ここで、板状体としては、例えば、まな板６，皿，又はフライパンや鍋等の蓋等が挙げられる。また、板状体を「立てた状態」とは、板状体の板面が鉛直面に沿った状態をいう。このとき、板状体の板面は、鉛直面に平行である必要はなく、鉛直面から傾いていてもよい。
【００４０】
まな板６等の板状体（以下、まな板６等とする）は、一対の支持部３４に載るようにして支持される。第２の姿勢にあるシンク用かご２は、枠体３の下端に支持部３４が固定されている。ところで、図７に示すように、板状体６を短辺部３２と支持部３４とに支持させることもできる。まな板６等を短辺部３２と支持部３４とに支持させると、まな板６等を立てた状態で、まな板６等の下端面を槽部１３内に向けて僅かに下り傾斜させることができる。これにより、濡れているまな板６の水切りが容易である上に、水切りをした水を槽部１３内に流すことができる。
【００４１】
また、第２の姿勢にあるシンク用かご２では、載置台５が下方に凹む。従って、この載置台５の裏側にも小物（例えば、洗剤，たわし又は食材等）を置くことができる。
【００４２】
〔応用〕
上記実施形態の載置台５は、線材で構成されたが、載置台５は線材でなくてもよく、例えば、複数の孔を有するステンレス板又はパンチングメタル等で構成されてもよい。
【００４３】
上記実施形態では、シンク１１の槽部１３の段１５の横面１５１と、カウンター１０の上面との間の寸法が約３０ｍｍに形成されたが、これに限定されない。例えば、５０ｍｍであってもよく、つまり、３０ｍｍよりも大きくてもよい。また、横面１５１とカウンター１０の上面との間の寸法は３０ｍｍより小さくてもよい。
【００４４】
上記実施形態のシンク用かご２において、線材の径は、枠体３とその他の部分とで異なっていたが、全て同じ径であってもよい。
【００４５】
その他、上記実施形態の構成は、本発明の主旨を逸脱しない範囲であれば、適宜設計変更を行うことができる。
【００４６】
〔効果〕
以上説明した上記実施形態のシンク用かご２は、枠体３と、収容部４と、載置台５とを備えている。枠体３は、線材で枠状に形成され、シンク１１の槽部１３の開口部１４の複数の辺のうちの少なくとも２辺に載ることが可能に構成される。収容部４は、枠体３の内側に設けられ、枠体３よりも下方に凹むように線材で形成される。載置台５は、枠体３の内側に設けられ、物を載せることが可能に構成されている。載置台５は、枠体３から上方に立ち上がるように線材で形成された脚部５２を有する。
【００４７】
この構成によれば、脚部５２が枠体３から上方に立ち上がるように線材で形成されているため、載置台５の上面を枠体３よりも上方に位置させることができる。これにより、載置台５の上面とカウンター１０の上面とを同じ高さにすることができる。この結果、線材を用いてシンク用かご２を軽くしながら、シンク１１に設置した状態では、まな板６等の物を置くことができる面積を広くすることができる。
【００４８】
また、上記実施形態のシンク用かご２は、以下の付加的な構成を有する。すなわち、上記実施形態のシンク用かご２において、収容部４は、枠体３よりも下方に凹むように形成された少なくとも２つの外枠部４１を有する。少なくとも２つの外枠部４１は互いに離れている。収容部４は、シンク用かご２を上下反転した状態で、少なくとも２つの外枠部４１のうちの対向する一対の外枠部４１の間で、板状体を立てた状態で支持可能に構成されている。
【００４９】
この構成によれば、例えば、板状体６を洗った後、シンク用かご２を上下反転するだけで、板状体を立てた状態で支持させることができる。
【００５０】
また、上記実施形態のシンク用かご２は、以下の付加的な構成を有する。すなわち、上記実施形態のシンク用かご２において、収容部４は収容部４の上方の開口を形成する開口枠４３を有する。開口枠４３の上端は、載置台５の上端と同じ高さ位置に形成されている。
【００５１】
この構成によれば、開口枠４３の上にもまな板６を載せることができるので、まな板６等の物を置くことができる面積をより広くすることができる。
【００５２】
また、上記実施形態のシンク用かご２は、以下の付加的な構成を有する。すなわち、上記実施形態のシンク用かご２において、収容部４は、枠体３の上方に位置し収容部４の上方の開口を形成する開口枠４３を有する。開口枠４３は、互いに対向する一対の対向部４４を含む。一対の対向部４４と枠体３との間には、隙間が形成されている。
【００５３】
この構成によれば、収容部４にごみ受けネット７を取り付ける場合、ごみ受けネット７の開口を、隙間を通すことで開口枠４３に引っ掛けやすくすることができる。
【００５４】
また、上記実施形態のシンク１１は、シンク用かご２を備える。シンク用かご２は、シンク１１の槽部１３の開口部１４から収容部４の底部までの寸法Ｌ１が、シンク１１の槽部１３の開口部１４から底面までの寸法Ｌ２の１／２以上に形成されている。
【００５５】
この構成によれば、収容部４に小物を収容した場合に、小物の上端が開口枠４３から突出する寸法を抑えることができる。
【符号の説明】
【００５６】
１１    シンク
１３    槽部
１４    開口部
２      シンク用かご
３      枠体
４      収容部
４１    外枠部
４３    開口枠
４４    対向部
５      載置台
５２    脚部
６      まな板（板状体）
Ｌ１    開口部から収容部の底部までの寸法
Ｌ２    開口部から底面までの寸法
【図１】
2019063259.tif 000003
【図２】
2019063259.tif 000004
【図３】
2019063259.tif 000005
【図４】
2019063259.tif 000006
【図５】
2019063259.tif 000007
【図６】
2019063259.tif 000008
【図７】
2019063259.tif 000009